(57)【特許請求の範囲】
【請求項１】
他の装置との間で情報の送受信を行うことが可能な系を複数備え、複数の系のうち何れかの系を選択して他の装置との間で情報の送受信を行う通信装置において、
複数の系のうち、一つの系は他の装置との間で情報の送受信を行う現用系であり、他の系は待機系であって、
各系からの出力信号の信号レベルを検出することによって、他の装置との間で情報の送受信を行う系を選択する切替部を備え、
前記切替部は、指示に応じて系の切替を行うスイッチと、各系からの出力信号の信号レベルを検出する信号レベル検出部と、信号レベル検出結果に基づいてスイッチの切替制御を行うスイッチ制御部とを含み、
前記信号レベル検出部は、各系からの出力信号の信号レベルが閾値以上であるか否かについて判断し、前記スイッチ制御部は、前記閾値以上の信号レベルの信号を出力する系の送信データが他の装置に送信されるように前記スイッチを切り替え、
待機系は、出力信号の信号レベルを前記閾値より低く調整し、現用系は、出力信号の信号レベルを前記閾値以上に調整する
ことを特徴とする通信装置。
【請求項２】
待機系は、他の装置からのデータを破棄する
請求項１記載の通信装置。
【発明の詳細な説明】
【０００１】
【発明の属する技術分野】
本発明は、内部に複数の系を含み、一つの系を現用系として使用し、他の系を待機系として使用するルータ等の通信装置に関する。
【０００２】
【従来の技術】
複数の系を含み、一つの系を現用系として使用し、他の系を待機系として使用する通信装置を含むシステムの一般的な構成例を図４および図５に示す。図４および図５は、一般的な通信装置を含むシステムの一構成例を示す構成ブロック図である。
【０００３】
図４に示すシステムでは、通信装置４００は、Ｙ分岐コネクタ４３０および４４０を介して対向通信装置４５０と接続される。通信装置４００および対向通信装置４５０は、電気信号または光信号により他の装置との間で情報の送受信を行うインタフェース機能を備えた通信装置であり、例えば、ルータ、局用交換機である。通信装置４００は、対向通信装置４５０との間で情報の送受信を行う電子回路パッケージ４１０および４２０を備える。電子回路パッケージ４１０および４２０は、外部装置に対して接続される。外部装置として、例えば、パーソナルコンピュータ等の情報端末、ルータ、局用交換機等がある。電子回路パッケージ４１０および４２０は、例えば、外部装置と対向通信装置４５０との間で情報の送受信を行うインタフェースボードである。
【０００４】
電子回路パッケージ４１０は、外部装置から受信した信号を対向通信装置４５０に対して送信する送信部４１１および対向通信装置４５０から受信した信号を外部装置に対して送信する受信部４１２を備える。同様に、電子回路パッケージ４２０は、送信部４２１および受信部４２２を備える。電子回路パッケージ４１０および４２０のうち、一方が現用系として使用され、他方が待機系として使用される。送信部４１１および４２１からの信号は、Ｙ分岐コネクタ４３０を介して対向通信装置４５０に対して送信される。同様に、対向通信装置４５０からの信号は、Ｙ分岐コネクタ４４０で分配されて受信部４１２および４２２に対して送信される。
【０００５】
電子回路パッケージ４１０を現用系とし電子回路パッケージ４２０を待機系とする場合、Ｙ分岐コネクタ４３０における入力信号どうしの相互干渉を防止するために、送信部４２１からの信号出力を停止させる。このとき、信号出力の停止のために、送信部４２１に対する電力供給を停止させる。電力供給の停止は、例えば、電力供給制御回路等によってなされる。すると、送信部４１１からの信号のみがＹ分岐コネクタ４３０を介して対向通信装置４５０に対して送信されることによって、電子回路パッケージ４１０と対向通信装置４５０との間の通信路が確立する。また、対向通信装置４５０からの信号は、Ｙ分岐コネクタ４４０にて分配されて受信部４１２および４２２に対して送信される。また、電子回路パッケージ４１０を待機系とし電子回路パッケージ４２０を現用系とする場合には、先と同様な手順で送信部４１１からの信号出力を停止させる。
【０００６】
図５に示すシステムでは、通信装置５００と対向通信装置４５０とが接続される。通信装置５００は、図４に示す通信装置４００と同様にルータ等であってもよい。また、電子回路パッケージ４１０、４２０および対向通信装置４５０は、それぞれ、図４に示す電子回路パッケージ４１０、４２０および対向通信装置４５０と同様である。
【０００７】
電子回路パッケージ４１０および４２０は、スイッチ部５２０を介して対向通信装置４５０と接続される。スイッチ部５２０は、スイッチ５２１および５２２を備える。スイッチ５２１は、送信部４１１および４２１と接続される。同様に、スイッチ５２２は、受信部４１２および４２２と接続される。
【０００８】
制御系パッケージ５１０は、スイッチ５２１およびスイッチ５２２に対して、系選択信号を出力する。スイッチ５２１は、系選択信号に従ってスイッチを送信部４１１側または４２１側に切替える。そして、送信部４１１または４２１からの信号は、スイッチ５２１を介して対向通信装置４５０に対して送信される。同様に、スイッチ５２２は、スイッチを受信部４１２側または４２２側に切替える。そして、対向通信装置４５０からの信号は、スイッチ５２２を介して受信部４１２または４２２に対して送信される。
【０００９】
【発明が解決しようとする課題】
図４に示す通信装置では、電子回路パッケージ４１０または４２０からの信号はＹ分岐コネクタ４３０を介して対向通信装置４５０に対して送信され、対向通信装置４５０からの信号はＹ分岐コネクタ４４０にて分配されて電子回路パッケージ４１０および４２０に対して送信される。このとき、Ｙ分岐コネクタ４３０および４４０において信号の伝送損失が発生することがあり、通信装置４００と対向通信装置４５０との間の伝送品質が劣化する恐れがある。
【００１０】
また、Ｙ分岐コネクタ４３０における入力信号間の相互干渉を防止するために、電子回路パッケージ４１０および４２０のうちどちらか一方からの出力信号を無効とする必要がある。このとき、電子回路パッケージ４１０および４２０のうちどちらか一方に対する電力供給を停止したり、または、送信部４１１および４２１のうちどちらか一方に対する電力供給を停止する必要がある。そのため、電子回路パッケージ４１０および４２０に対する電力供給を制御する制御装置等が必要となる場合があり、通信装置における内部構成が複雑になることがある。
【００１１】
図５に示す通信装置では、スイッチ５２１および５２２の設定を切替えるための制御系パッケージ５１０および制御系パッケージ５１０とスイッチ５２１および５２２との間の接続のための専用線が必要となるので、通信装置における内部構成が複雑になることがある。
【００１２】
そこで、本発明は、以上のような課題を解決するものであって、系の切替を簡素な構成にて行うことができる通信装置を提供することを目的とする。
【００１３】
【課題を解決するための手段】
本発明による通信装置は、各系からの出力信号の信号レベルを検出することによって、他の装置との間で情報の送受信を行う系を選択する切替部を備えたことを特徴とする。ここで、複数の系のうち、一つの系は現用系であり、他の系は待機系である。
【００１４】
切替部は、指示に応じて系の切替を行うスイッチと、各系からの出力信号の信号レベルを検出する信号レベル検出部と、信号レベル検出結果に基づいてスイッチの切替制御を行うスイッチ制御部とを備える。信号レベル検出部は、各系からの出力信号の信号レベルが閾値以上であるか否かについて判断し、スイッチ制御部は、閾値以上の信号レベルの信号を出力する系に対してスイッチの切替制御を行う。ここで、待機系は、出力信号の信号レベルを閾値より低く調整し、現用系は、出力信号の信号レベルを閾値以上に調整する。
【００１５】
【発明の実施の形態】
以下、本発明による実施の形態について図面を参照して説明する。図１は、本発明による通信装置を含むシステムの一構成例を示す構成ブロック図である。
【００１６】
通信装置１００は、光信号または電気信号によって対向通信装置１４０との間で情報の送受信を行う。通信装置１００および対向通信装置１４０は、電気信号または光信号を用いて他の装置との間で情報の送受信を行うインタフェース機能を備えた通信装置であって、例えば、ルータ、局用交換機等である。
【００１７】
通信装置１００では、電子回路パッケージ１１０および１２０は、系切替部１３０を介して対向通信装置１４０との間で情報の送受信を行う。電子回路パッケージ１１０および１２０には、パーソナルコンピュータ、ルータ、局用交換機等の外部装置が接続される。電子回路パッケージ１１０および１２０のうち、一方が現用系として、他方が待機系として使用される。
【００１８】
電子回路パッケージ１１０は、外部装置から受信した信号を対向通信装置１４０に対して送信する送信部１１１と対向通信装置１４０から送信される信号を受信して外部装置に対して送信する受信部１１２とを備える。同様に、電子回路パッケージ１２０は、送信部１２１および受信部１２２を備える。電子回路パッケージ１１０および１２０は、例えば、外部装置または対向通信装置１４０との間で光信号または電気信号によって情報の送受信を行うインタフェースボードである。
【００１９】
信号レベル検出部１３１は、送信部１１１からの出力信号の信号レベルを検出し、検出結果をスイッチ制御部１３４に対して出力する。同様に、信号レベル検出部１３２は、送信部１２１からの出力信号の信号レベルを検出し、検出結果をスイッチ制御部１３４に対して出力する。スイッチ制御部１３４は、入力される検出結果を基にスイッチ１３３に対して切替信号を出力する。信号レベル検出部１３１および１３２は、例えば、電圧監視デバイス（比較器等）または光波レベル監視デバイスで構成される。スイッチ制御部１３４は、例えば、スイッチの切替を行うための制御信号を生成するＩＣやＦＰＧＡ等の論理部品等で構成される。
【００２０】
スイッチ１３３は、切替信号に基づいて、内部のスイッチを送信部１１１側または１２１側に切替える。そして、送信部１１１または１２１からの信号は、対向通信装置１４０に対して送信される。スイッチ１３３には、対向通信装置１４０に対する出力信号の信号レベルを一定の水準にレベル調整を行う増幅器およびその信号の波形のリタイミングを行う機能が備えられている。
【００２１】
スプリッタ１３５は、対向通信装置１４０からの送信信号を分配して受信部１１２および１２２に対して出力する。スプリッタ１３５は、送信信号が電気信号である場合には、電気回路によって送信信号を分配し、送信信号が光信号である場合には、プリズム等によって送信信号を分配する。また、スプリッタ１３５には、スイッチ１３３と同様に、対向通信装置１４０からの送信信号の信号レベルを一定の水準にレベル調整する増幅器およびその信号波形のリタイミングを行う機能が備えられている。
【００２２】
次に、動作について説明する。図２および図３は、図１に示すシステムの動作を説明するための説明図である。まず、電子回路パッケージ１１０を現用系とし電子回路パッケージ１２０を待機系とする場合の動作について図２を用いて説明する。
【００２３】
ユーザは、通信装置１００の外部等に備えられるスイッチ等を切替えることによって、電子回路パッケージ１１０を現用系と設定し、電子回路パッケージ１２０を待機系と設定する。また、ユーザは、外部装置から通信装置１００に対してコマンドを出力することによって、上記のような設定を行ってもよい。さらに、通信装置１００がネットワークに接続されている場合には、ユーザは、ネットワーク上の情報端末から上記のような設定を遠隔操作によって行ってもよい。
【００２４】
すると、待機系の電子回路パッケージ１２０は、送信部１２１をリセットまたは無能化させることによって、送信部１２１からの送信データ（信号）の出力を停止させる。このとき、送信部１２１からの送信信号の信号レベルを系切替部１３０における閾値より低い出力レベルに調整する。例えば、閾値電圧が１Ｖであるとすると、待機時における送信部１２１からの信号の信号レベルを０Ｖとする。また、送信部１２１が発光デバイスである場合には、電子回路パッケージ１２０は、送信部１２１からの発光を停止させる。一方、現用系の電子回路パッケージ１１０では、送信部１１１は、接続される外部装置からのデータを送信データとしてスイッチ１３３に対して出力する。このとき、送信部１１１からの送信信号の信号レベルは閾値以上のレベルであるとする。
【００２５】
系切替部１３０では、信号レベル検出部１３１は、送信部１１１からの信号の信号レベルを検出し、検出結果をスイッチ制御部１３４に対して出力する。このとき、信号レベル検出部１３１は、送信部１１１からの信号の信号レベルが閾値以上であるか否かについて判断する。同様に、信号レベル検出部１３２は、送信部１２１からの信号の信号レベルの検出結果をスイッチ制御部１３４に対して出力する。このとき、信号レベル検出部１３１では、送信部１１１からの信号の信号レベルが閾値以上であると判断され、信号レベル検出部１３２では、送信部１２１からの信号の信号レベルが閾値より低いと判断される。
【００２６】
スイッチ制御部１３４は、信号レベル検出部１３１および１３２から出力される検出結果をもとに、スイッチ１３３に対して切替信号を出力する。ここでは、スイッチ１３３を送信部１１１側に切替えるための信号を出力する。スイッチ１３３は、切替信号に従って、スイッチを送信部１１１側に切替える。すると、送信部１１１からの送信データは、スイッチ１３３を介して対向通信装置１４０に対して送信される。このとき、スイッチ１３３では、送信信号のレベル調整およびリタイミングがなされる。
【００２７】
対向通信装置１４０からのデータは、スプリッタ１３５にて分配されて受信部１１２および１２２に対して送信される。電子回路パッケージ１１０では、受信部１１２は、対向通信装置１４０からのデータを受信する。そして、受信部１１２は、対向通信装置１４０からのデータを、接続される外部装置に対して送信する。一方、電子回路パッケージ１２０では、受信部１２２は、対向通信装置１４０からのデータの破棄を行う。
【００２８】
次に、電子回路パッケージ１１０を待機系に、電子回路パッケージ１２０を現用系に切替える場合の動作について図３を用いて説明する。
【００２９】
ユーザは、電子回路パッケージ１１０を待機系と設定し、電子回路パッケージ１２０を現用系と設定する。設定の手順は、先に示した手順と同様である。
【００３０】
待機系の電子回路パッケージ１１０は、送信部１１１を無能化またはリセットすることによって、送信部１１１からの送信データの出力を停止させる。このとき、送信部１１１からの送信信号の信号レベルは、閾値より低いレベルであるとする。また、電子回路パッケージ１１０は、受信部１１２を無能化またはリセットする。一方、現用系の電子回路パッケージ１２０は、送信部１２１の無能状態またはリセット状態を解除することによって、送信部１２１からの信号をスイッチ１３３に対して出力させる。このとき、送信部１２１からの送信信号の信号レベルは、閾値以上のレベルであるとする。また、電子回路パッケージ１２０は、受信部１２２の無能状態またはリセット状態を解除する。
【００３１】
信号レベル検出部１３１では、送信部１１１からの出力信号の信号レベルが閾値より低いと判断され、信号レベル検出部１３２では、送信部１２１からの出力信号の信号レベルが閾値以上であると判断される。そして、スイッチ制御部１３４は、スイッチを送信部１２１側に切替えるための切替信号をスイッチ１３３に対して出力する。スイッチ１３３は、切替信号に従って、スイッチを送信部１２１側に切替える。すると、送信部１２１からの送信データは対向通信装置１４０に対して送信される。
【００３２】
また、対向通信装置１４０からのデータは、スプリッタ１３５を介して受信部１１２および受信部１２２に対して送信される。受信部１２２は、対向通信装置１４０からのデータを外部装置に対して送信する。受信部１１２は、対向通信装置１４０からのデータの破棄を行う。
【００３３】
以上のように、本実施の形態によれば、スイッチ１３３が送信部１１１または送信部１２１からの出力信号の信号レベルをもとに系の切替を完了させるため、通信装置１００において、図５に示すようなスイッチを制御するための制御系パッケージ５１０や制御系パッケージ５１０と各スイッチとの間の専用線が不要となる。また、各系に対する電力供給制御を行うことなしに系の切替を行うことができるので、電力供給制御装置等が不要となる。従って、簡素な構成にて系の切替を行うことができる。また、制御系パッケージ５１０や電力供給制御装置等が不要となることによって、既存の電子回路パッケージに対して僅かな変更を加えることで、本発明を安価に実現することができる。
【００３４】
また、各系からの信号はスイッチ１３３を介して対向通信装置１４０に対して送信され、対向通信装置１４０からの信号はスプリッタ１３５にて分配されて各系に対して送信される。このとき、スイッチ１３３およびスプリッタ１３５が信号のレベル調整および信号波形のリタイミングを行うため、通信装置１００と対向通信装置１４０との間の伝送における損失を抑えることができる。従って、通信装置１００と対向通信装置１４０との間の伝送品質の向上を期待することができる。
【００３５】
なお、上記の実施の形態では、電子回路パッケージ１１０または１２０からの送信データの切替にスイッチ１３３を用いた例について説明したが、スイッチ１３３の代わりにセレクタ機能を備えたＩＣを用いてもよい。また、対向通信装置１４０からのデータの分配にスプリッタ１３５を用いた例を示したが、スプリッタ１３５の代わりにドライバ機能を備えたＩＣを用いてもよい。さらに、通信装置１００の内部に電子回路パッケージ１１０および１２０が備えられた例について示したが、通信装置１００内に電子回路パッケージを複数備えてもよい。
【００３６】
【発明の効果】
本発明によれば、切替部は各系からの出力信号における信号レベルに基づいて外部装置との間で情報の送受信を行う系を選択するため、スイッチの切替のための制御系パッケージやスイッチと制御系パッケージとの間を接続するための専用線が不要となる。また、各系に対する電力供給制御をすることなしに、系の切替をすることができるので、電力供給制御装置等が不要となる。従って、簡素な構成にて系の切替を行うことができる。
【図面の簡単な説明】
【図１】本発明による通信装置を含むシステムの一構成例を示す構成ブロック図である。
【図２】図１に示すシステムの動作を説明するための説明図である。
【図３】図１に示すシステムの動作を説明するための説明図である。
【図４】一般的な通信装置を含むシステムの一構成例を示す構成ブロック図である。
【図５】一般的な通信装置を含むシステムの一構成例を示す構成ブロック図である。
【符号の説明】
１００          通信装置
１１０、１２０  電子回路パッケージ
１１１、１２１  送信部
１１２、１２２  受信部
１３０          切替部
１３１、１３２  信号レベル検出部
１３３          スイッチ
１３４          スイッチ制御部
１３５          スプリッタ
１４０          対向通信装置
【図１】
0003616559.tif 000002
【図２】
0003616559.tif 000003
【図３】
0003616559.tif 000004
【図４】
0003616559.tif 000005
【図５】
0003616559.tif 000006